(57)【要約】【課題】イメージセンサに写り込むゴミをシャッターを作動させなくても検出できるデジタルカメラの撮像系ゴミ検出装置を得る。【解決手段】撮影レンズと撮像系の間の撮影光路を開閉するシャッター装置と、撮像系の光学素子中、最も撮影レンズ側に位置する光学素子表面を照明する照明手段を備え、照明手段は、シャッター装置と前記光学素子表面との間の撮影光路外に配置された、発光素子及び配光光学素子を有し、前記配光光学素子は、前記発光素子から発せられた照明光を前記光学素子表面で正反射するように配光する。【選択図】図３
2010268102.tif 000002
【特許請求の範囲】
【請求項１】
撮影レンズにより形成された被写体像を撮像する撮像素子を備えた撮像系と、
前記撮影レンズと撮像系の間の撮影光路を開閉するシャッター装置と、
前記撮像系の光学素子中、最も前記撮影レンズ側に位置する光学素子表面を照明する照明手段とを備え、
前記照明手段は、前記シャッター装置と前記光学素子表面との間の撮影光路外に配置された、発光素子及び配光光学素子を有し、
前記配光光学素子は、前記発光素子から発せられた照明光を前記光学素子表面で正反射するように配光することを特徴とする撮像系ゴミ検出装置。
【請求項２】
請求項１記載の撮像系ゴミ検出装置はデジタルカメラに搭載されていて、このデジタルカメラは、前記撮像素子により撮像した画像を表示するディスプレイを有し、さらにこのデジタルカメラは、前記シャッター装置が閉じた状態で前記発光素子を点灯させて前記撮像素子により撮像した前記光学素子表面の画像を前記ディスプレイに表示する撮像系ゴミ検出装置。
【請求項３】
請求項１記載の撮像系ゴミ検出装置は、撮影レンズの着脱が可能なレンズ交換式デジタルカメラのカメラボディに搭載されていて、前記カメラボディは、前記撮像素子により撮像した画像を表示するディスプレイを有し、前記シャッター装置が閉じた状態で前記発光素子を点灯させて前記撮像素子により撮像した前記光学素子表面の画像を前記ディスプレイに表示する撮像系ゴミ検出装置。
【請求項４】
請求項１から３のいずれか一項記載の撮像系ゴミ検出装置において、前記撮像系はローパスフィルターを備え、該ローパスフィルターの表面が前記最前光学素子表面である撮像系ゴミ検出装置。
【請求項５】
請求項１から４のいずれか一項記載の撮像系ゴミ検出装置において、前記配光光学素子はシリンドリカルレンズであって、該シリンドリカルレンズは、シリンドリカル面の曲率中心を結ぶ線が前記最前光学素子表面の一つの縁部と平行に配置されていて、前記発光素子は、前記シリンドリカルレンズの軸線方向中央位置に１個又は軸線に沿って所定間隔で複数個設けられている撮像系ゴミ検出装置。
【請求項６】
請求項５記載の撮像系ゴミ検出装置において、前記シリンドリカルレンズ及び発光素子は、前記最前光学素子表面の一対の対向縁部と平行に一対配置されている撮像系ゴミ検出装置。
【請求項７】
請求項１から４のいずれか一項記載の撮像系ゴミ検出装置において、前記配光光学素子はトーリックレンズであって、該トーリックレンズは、トーリック面の一方の曲率中心を結ぶ線が前記最前光学素子表面と平行に配置されていて、前記発光素子は１個又は複数個設けられている撮像系ゴミ検出装置。
【請求項８】
請求項７記載の撮像系ゴミ検出装置において、前記トーリックレンズ及び発光素子は、前記最前面光学素子表面の対角位置に一対配置されている撮像系ゴミ検出装置。
【発明の詳細な説明】
【技術分野】
【０００１】
本発明は、デジタルカメラの撮像系ゴミ検出装置に係り、より具体的には、撮像系の前方において撮影光路を開閉するシャッターなどを開放作動させなくても撮像系に付着したゴミを検出できる撮像系ゴミ検出装置に関する。
【背景技術】
【０００２】
従来、レンズ交換式デジタルカメラでは、レンズ交換の際にカメラボディ内（ミラーボックス内）にごみ、ほこりなどの塵埃（以下「ゴミ」という）が侵入し、さらにシャッター開放の際にシャッター幕より後方に位置するイメージセンサユニットの最前に配置された光学素子表面に付着する問題があった。前記最前光学素子表面に付着したゴミは、イメージセンサーの受光面に形成される被写体像中に影として写し込まれ、画像品質を落としてしまう。ここで撮像系は、ＣＣＤ、ＣＭＯＳタイプのイメージセンサーと、その前方被写体側に配置された赤外カットフィルター及びローパスフィルターなど、イメージセンサーとユニット化された光学素子を含み、前記最前光学素子表面は、通常、ローパスフィルター表面になる。
【０００３】
ローパスフィルター表面に付着したゴミを除去するために、ミラーアップし、シャッターを開放状態に保持して光学素子表面を露出させて、マウント側から挿入した粘着棒にゴミを付着させて除去したり、エアーブロアー等でゴミを吹き飛ばして除去する技術が知られている。さらに出願人は、ローパスフィルター表面に付着したゴミを除去する際に見易くするために、ミラーボックスの底部に発光素子を設けて光学素子表面を照明する技術を提案した（特許文献１）。
【先行技術文献】
【特許文献】
【０００４】
【特許文献１】特開２００４-３２１８９号公報
【発明の概要】
【発明が解決しようとする課題】
【０００５】
しかしながら従来の撮像系の照明装置は、ミラーをアップし、シャッターを開放しなければローパスフィルター表面を照明することができなかった。つまり、ミラーがダウンし、シャッターが閉じた状態では撮像系の光学素子表面にゴミが付着しているかどうかを検出することができなかった。
【０００６】
本発明は、かかる従来技術の課題に鑑みてなされたものであって、撮像系への撮影光路を遮断する遮光部材を開放させなくても撮像系にゴミが付着していることを検出できる、デジタルカメラの撮像系ゴミ検出装置を得ることを目的とする。
さらに本発明は、撮像系に付着したゴミを、明画像として撮像できるゴミ検出装置を得ることを目的とする。
【課題を解決するための手段】
【０００７】
前記の課題を解決する本発明は、撮影レンズにより形成された被写体像を撮像する撮像素子を備えた撮像系と、前記撮影レンズと撮像系の間の撮影光路を開閉するシャッター装置と、前記撮像系の光学素子中、最も前記撮影レンズ側に位置する光学素子表面を照明する照明手段とを備え、前記照明手段は、前記シャッター装置と前記光学素子表面との間の撮影光路外に配置された、発光素子及び配光光学素子を有し、前記配光光学素子は、前記発光素子から発せられた照明光を前記光学素子表面で正反射するように配光することに特徴を有する。
【０００８】
本発明の撮像系ゴミ検出装置はデジタルカメラに搭載し、このデジタルカメラは、前記撮像素子により撮像した画像を表示するディスプレイを有し、さらにこのデジタルカメラは、前記シャッター装置が閉じた状態で前記発光素子を点灯させて前記撮像素子により撮像した前記光学素子表面の画像を前記ディスプレイに表示する。
【０００９】
本発明の撮像系ゴミ検出装置は、撮影レンズの着脱が可能なレンズ交換式デジタルカメラのカメラボディに搭載し、前記カメラボディは、前記撮像素子により撮像した画像を表示するディスプレイを有し、前記シャッター装置が閉じた状態で前記発光素子を点灯させて前記撮像素子により撮像した前記光学素子表面の画像を前記ディスプレイに表示する。
【００１０】
前記撮像系はローパスフィルターを備え、該ローパスフィルターの表面が前記最前光学素子表面であることが実際的である。
【００１１】
前記配光光学素子はシリンドリカルレンズであって、該シリンドリカルレンズは、シリンドリカル面の曲率中心を結ぶ線が前記最前光学素子表面の一つの縁部と平行に配置されていて、前記発光素子は、前記シリンドリカルレンズの軸線方向中央位置に１個又は軸線に沿って所定間隔で複数個設けられる。
前記シリンドリカルレンズ及び発光素子は、前記最前光学素子表面の一対の対向縁部と平行に一対配置することが好ましい。
【００１２】
前記配光光学素子はトーリックレンズであって、該トーリックレンズは、トーリック面の一方の曲率中心を結ぶ線が前記最前光学素子表面と平行に配置されていて、前記発光素子は１個又は複数個設けられている。
前記トーリックレンズ及び発光素子は、前記最前面光学素子表面の対角位置に一対配置することが好ましい。
【発明の効果】
【００１３】
本発明によれば、シャッター装置を開放しなくても発光素子を発光させて配光光学素子により配光された照明光により照明された光学素子表面の状態を撮像系により撮像することが可能になった。さらに本発明の配光光学素子は、前記発光素子から発せられた照明光を前記光学素子表面に対して（ゴミが無い位置では）正反射するように配光するので、光学素子表面は暗い画像として撮像され、光学素子表面に付着したゴミが明るく撮像されるので、ゴミをより明瞭に検出することが可能になった。
【図面の簡単な説明】
【００１４】
【図１】本発明をレンズ交換式のデジタル一眼レフカメラに適用した実施形態においてカメラボディを光軸で縦断して要部を示す断面図である。
【図２】同デジタル一眼レフカメラの主要回路構成を示すブロック図である。
【図３】同デジタル一眼レフカメラに適用した撮像系（撮像ユニット）のローパスフィルター表面及び撮像系ゴミ検出装置の構成を示す正面図である。
【図４】図１の断面図において、ローパスフィルター及び撮像系ゴミ検出装置を拡大して示す断面図である。
【図５】図４において、ゴミ検出するときのローパスフィルター表面及び撮像系ゴミ検出装置の構成を拡大して模式的に示す図である。
【図６】撮像系ゴミ検出装置の第２の実施形態を示す正面図である。
【図７】撮像系ゴミ検出装置の第３の実施形態を示す正面図である。
【図８】撮像系ゴミ検出装置の第４の実施形態を示す正面図である。
【発明を実施するための形態】
【００１５】
以下本発明の実施形態について、添付の図面を参照して詳細に説明する。図１は、本発明を、レンズ交換式デジタル一眼レフカメラの撮像ユニットに適用した実施形態であって、カメラボディ１０を縦断して要部を示す断面図、図２は同デジタル一眼レフカメラの主要回路構成を示すブロック図である。
【００１６】
カメラボディ１０は、撮影レンズを着脱自在に装着するマウント部１２側から、主な光学素子として、メインミラー１３、シャッターユニット１５を有し、シャッターユニット１５で開閉される背後空間に、撮像系として、イメージセンサー５１を有する撮像ユニット５０が配置されている。メインミラー１３の上方には焦点板１７、ペンタプリズム１８、アイピースレンズ１９からなるファインダー光学系が配置されている。アイピースレンズ１９の上方には、ペンタプリズム１８から射出した被写体光束の一部を受光する測光センサー２０が配置されている。メインミラー１３の背面には、メインミラー１３のハーフミラー領域を透過した被写体光束を下方に配置されたＡＦセンサーユニット２１に導くサブミラー１４が配置されている。
【００１７】
カメラボディ１０の背面には、撮影モードなど撮影機能に関する情報や、撮影した画像を表示するディスプレイ４５が設けられている。
【００１８】
また、カメラボディ１０内には、図２に示すように、カメラボディ１０及び撮影レンズ１００を統括的に制御するメインＣＰＵ（制御手段）３１が搭載されていて、このメインＣＰＵ３１は、ＡＦ制御、ＡＥ制御、シャッターユニット１５の制御、イメージセンサー５１の動作制御などの撮影制御や、各種操作スイッチの操作に基づく各種動作制御等を行う。
【００１９】
メインＣＰＵ３１は、マウント部１２に設けられた接点端子を介して撮影レンズ１００内のレンズＣＰＵ１０１と接続され、レンズ固有のデータや撮影レンズ１００の状態、又はカメラボディ１０側の状態等の各種情報通信を行う。
【００２０】
メインＣＰＵ３１には、センサー類として、測光センサー２０及びＡＦセンサーユニット２１が接続され、制御、画像信号処理系としてＤＳＰ（Digital Signal Processor）３３、スイッチ類として測光スイッチ３５、レリーズスイッチ３６及びモードスイッチ３７、並びに駆動系としてモータードライバー３９、シャッター駆動回路４０、及びモータードライバー４３等がそれぞれ接続されている。ＡＦモーター３８はモータードライバー３９を介して、ミラーモーター４１及びチャージモーター４２はモータードライバー４３を介して、シャッターユニット１５はシャッター駆動回路４０を介してそれぞれメインＣＰＵ３１により駆動制御される。
【００２１】
イメージセンサー５１は、メインＣＰＵ３１の制御下で、ＤＳＰ３３により駆動制御される。イメージセンサー５１が撮影し、出力した画素信号はＤＳＰ３３によって処理される。ＤＳＰ３３は、イメージセンサー５１の駆動制御及びイメージセンサー５１が撮影して出力した画素信号から画像データを生成し、画像をディスプレイ４５に表示し、画像データを所定フォーマットに変換してメモリーカード（記録媒体）２００に記録する処理など、画像信号処理、表示処理及び画像記録処理を統括して制御するプロセッサである。
【００２２】
シャッターユニット１５は、いわゆるフォーカルプレーンシャッターであり、先幕、後幕がイメージセンサー５１のローパスフィルター表面５４ａに対面するように設置されている。シャッターユニット１５は、モータードライバー４３を介して駆動されるチャージモーター４２により、撮影に備えたチャージ状態に駆動されている。露出時には、メインＣＰＵ３１の制御下でシャッター駆動回路４０により駆動され、先幕と後幕の走行開始時の時間差により撮影光路を開閉して、開いている間に撮影レンズ１００からの被写体光束を通過させて被写体像をイメージセンサー５１の受光面５１ａに形成させる。また、シャッターユニット１５は、上述の露出動作をしたときは、モータードライバー４３を介して駆動されるチャージモーター４２により、撮影に備えたチャージ状態に駆動される。
【００２３】
メインミラー１３は、その上端部付近に設けられた回転軸１３ａにより回動可能に軸支されていて、図１に示すダウン（観察）位置と、焦点板１７に対向するアップ（観察）位置との間で回動移動する。メインミラー１３は、モータードライバー４３を介して駆動されるミラーモーター４１の駆動力とばね力（不図示）によりアップダウン動作する。図１に示す観察状態では、撮影レンズ１００を透過してカメラボディ１０内に入射した光束（被写体光）は、その大部分がメインミラー１３において反射され、焦点板１７に入射する。焦点板１７を透過し、ペンタプリズム１８から射出した被写体光の一部は、測光センサー２０に入射する。測光センサー２０は、受光量に応じた測光信号をメインＣＰＵ３１へ出力する。メインＣＰＵ３１は、入力した測光信号に基づいて、イメージセンサー５１の電荷蓄積時間（露光時間）となるシャッター速度、及び撮影レンズ１００側に設けられた絞り（図示せず）の開口量（絞り値）を演算し、撮影時には演算した値により駆動制御する。
【００２４】
メインミラー１３の中央領域はハーフミラーとなっていて、撮影レンズ１００から入射した光束の一部は、メインミラー１３を透過し、メインミラー１３の背面側に設けられたサブミラー１４により下方に反射されてＡＦセンサーユニット２１に入射する。
【００２５】
ＡＦセンサーユニット２１は、いわゆる瞳分割位相差方式の測距センサーであり、イメージセンサー５１の受光面５１ａと光学的に等価な位置にＣＣＤセンサーを有し、図示しない撮影画面内の所定の焦点検出エリアにおける焦点状態となる一対の被写体像信号をＡＦビデオ信号としてメインＣＰＵ３１へ出力する。メインＣＰＵ３１は、ＡＦビデオ信号に基づいてデフォーカス量を演算し、そのデフォーカス量と撮影レンズ１００の固有のレンズデータとに基づいて、フォーカシングレンズＦＬを合焦位置に移動させるためのレンズ駆動方向及び駆動量を演算し、ＡＦモーター３８を駆動制御する（ＡＦ駆動制御）。ＡＦモーター３８の駆動力は、カメラボディ１０のマウント部１２に設けられたジョイントと、撮影レンズ１００側のマウント部に設けられたジョイントを介してギアユニット１０３に伝達され、フォーカシングレンズＦＬが光軸方向に駆動される。
【００２６】
カメラボディ１０には、測光スイッチ３５及びレリーズスイッチ３６に連動したレリーズボタン（図示せず）、モードスイッチ３７に連動したモードボタン（図示せず）が設けられている。レリーズボタンの半押しで測光スイッチ３５がオンしレリーズボタンが全押しされると、測光スイッチ３５はオン状態を維持してレリーズスイッチ３６がオンする。モードスイッチ３７は、この動作モード設定ボタンの押圧操作に応じてオン／オフし、オンする毎に、撮影可能な撮影モードと、イメージセンサー５１の光学素子表面となるローパスフィルター表面５４ａの汚れを検出するゴミチェックモードと、ローパスフィルター表面５４ａの清掃を可能にするセンサー清掃モードのいずれかに切り替わる。
【００２７】
撮像ユニット５０は、イメージセンサー５１を収容した長方形の浅い凹部を有するケーシング５２と、ケーシング５２の凹部の開口を覆うように設置された赤外カットフィルター（赤外線吸収フィルター）５３と、赤外カットフィルター５３の前面側に設置されたローパスフィルター５４とを備えている。この実施形態では、ローパスフィルター５４の表面５４ａが撮像ユニット５０の光学素子表面になっている。なお、赤外カットフィルター５３、ローパスフィルター５４、ローパスフィルター表面５４ａは、イメージセンサー５１の受光面５１ａと平行に設けられている。
【００２８】
この撮像ユニット５０は、イメージセンサー５１の受光面５１ａが、マウント部１２に装着された撮影レンズ１００の光軸Ｏに対して垂直になるように、かつ受光面５１ａの撮像領域中心を光軸Ｏが通るようにカメラボディ１０に装着されている。
【００２９】
シャッターユニット１５と撮像ユニット５０との間に、ローパスフィルター表面５４ａを照明する照明装置が装着されている。ここでは、発光素子としてのＬＥＤ７１と、このＬＥＤ７１とローパスフィルター表面５４ａとの間に、配光光学素子としてのシリンドリカルレンズ７３が配置されている。ＬＥＤ７１は、メインＣＰＵ３１の制御下でドライバー７２を介して点灯制御される。
【００３０】
シリンドリカルレンズ７３は、シリンドリカル面７３ａの曲率中心となる軸線がローパスフィルター表面５４ａの長手方向の縁部（長辺）と平行に、シリンドリカル面７３ａがＬＥＤ７１と対向するように配置されている。ＬＥＤ７１は、シリンドリカルレンズ７３の軸線方向中央位置と対向するように配置されている。このシリンドリカルレンズ７３は、ローパスフィルター表面５４ａと直交する方向に集光作用を有し、平行な方向には集光作用が無い。
【００３１】
ＬＥＤ７１及びシリンドリカルレンズ７３は、シャッター幕１５ａを含む面とローパスフィルター表面５４ａとの間の空間に配置されている。つまり、シャッターユニット１５が閉じていてもローパスフィルター表面５４ａを照明できる位置に配置されている。
【００３２】
ゴミチェックモードにおいて、ＬＥＤ７１を点灯させた様子を、図３、図５に示した。ゴミチェックモードでは、シャッターユニット１５、メインミラー１３を作動させずに、ＬＥＤ７１を点灯させてイメージセンサー５１を駆動してローパスフィルター表面５４ａを撮像し、撮像した画像をディスプレイ４５に表示する。
【００３３】
ＬＥＤ７１から出射した照明光は、シリンドリカルレンズ７３による配光作用により、ローパスフィルター表面５４ａの法線方向（直交方向）に拡がろうとする光束が収束されて、ローパスフィルター表面５４ａに対して入射角９０゜よりやや小さい、大きな入射角で入射するので、入射した照明光の多くはローパスフィルター表面５４ａで正反射する。したがって、ローパスフィルター表面５４ａにゴミ等が全く無い場合は、ローパスフィルター表面５４ａの画像は一様な黒画像としてディスプレイ４５に表示される。
【００３４】
しかし、ローパスフィルター表面５４ａにゴミ８０が付着していると、ゴミ８０に入射した照明光が反射する。ローパスフィルター表面５４ａ方向に反射した照明光は、ローパスフィルター表面５４ａからローパスフィルター５４内に入射して、受光面５１ａに到達し、受光素子５１ｂにより光電変換される。つまり、ローパスフィルター表面５４ａに付着したゴミ８０が、イメージセンサー５１により明るい画像として撮影され、ディスプレイ４５に表示される。
【００３５】
以上のようにゴミチェックモードにおいてイメージセンサー５１が撮像したローパスフィルター表面５４ａの画像は、ディスプレイ４５に表示される。使用者は、ディスプレイ４５を見ることで、ゴミの付着状況を視認することができる。ディスプレイ４５における表示は、カメラボディ１０の正面（被写体側）からマウント部１２を通してイメージセンサー５１を見た方向と一致するように表示することが好ましい。
【００３６】
以上の実施形態では、シリンドリカルレンズ７３をシリンドリカル面７３ａがＬＥＤ７１と対向する向きに配置したが、シリンドリカル面７３ａがイメージセンサー５１と対向する向きに配置してもよい。ＬＥＤ７１を１個としたが、２個以上配置してもよい。
【００３７】
本発明の第２の実施形態を図６に示した。この第２の実施形態は、シリンドリカルレンズ７３同様のシリンドリカルレンズ７４及びＬＥＤ７１を一対、ローパスフィルター表面５４ａ（イメージセンサー５１）の対向する短手方向縁部（短辺）の外側に配置したことに特徴を有する。対向方向から照明光を照射するので全体をより均一に照明することが可能になり、ゴミが存在した場合、異なった複数の方向から照明できるのでより検知し易くなる。
【００３８】
本発明の第３の実施形態を図７に示した。この実施形態は、配光光学素子として、トーリックレンズ７５を使用したことに特徴を有する。このトーリックレンズ７５は、シリンドリカルレンズ７３に、ローパスフィルター表面５４ａと平行な方向の集光力を持たせた構成と同等である。つまり、トーリックレンズ７５のトーリック面７５ａの一方の曲率中心を結ぶ線が、他方の曲率中心を中心とした円弧上に位置し、かつこの円弧がローパスフィルター表面５４ａと平行となるように形成され、配置されている。この第３の実施形態によれば、ＬＥＤ７１から射出され、ローパスフィルター表面５４ａと平行に進むがローパスフィルター表面５４ａの外方に広がろうとする照明光をトーリックレンズ７５によって集束させるので、ローパスフィルター表面５４ａをより多くの光束で照明することが可能になる。
【００３９】
本発明の第４の実施形態を図８に示した。この第４の実施形態は、発光素子及び配光光学素子としてＬＥＤ７１及びトーリックレンズ７６を２組用意し、それぞれをローパスフィルター表面５４ａの一方の対角の外側位置に配置したことに特徴を有する。この実施形態のトーリックレンズ７６は、ローパスフィルター表面５４ａの対角線を挟んでそれぞれ別の半分領域を重点的に照明できるような配光特性としてある。
【００４０】
以上の第２、第４の実施形態のように複数のＬＥＤ７１を配置した場合は、センサーチェックの際に、各ＬＥＤを順番に点灯／点滅、全点灯等を繰り返すなどの点灯制御をしてもよい。明度の変化により、ローパスフィルター表面５４ａに付着したゴミがより検出し易くなる。
【００４１】
本発明の実施形態は、ＬＥＤ７１をシャッターユニット１５と撮像ユニット５０との間に配置してある。従って、シャッターユニット１５を開放させなくても、ＬＥＤ７１によってローパスフィルター表面５４ａを照明できる。
【００４２】
そこでこの一眼レフカメラのゴミチェックモードでは、シャッターユニット１５を閉じた状態でＬＥＤ７１を点灯させ、さらにイメージセンサー５１を撮像駆動して、撮像して画像をディスプレイ４５に表示させる。このゴミチェックモードによる撮影処理により、ローパスフィルター表面５４ａの明暗状態が撮影され、ディスプレイ４５に表示されるので、ゴミの付着状況が分かる。例えば、ローパスフィルター表面５４ａにゴミが全く付着していない場合は明度の変化がほとんど目立たない暗い一様の画像が表示され、ゴミが付着していると、その部分が明るい画像として表示されるので、ゴミの付着状況が分かり易い。なお、ディスプレイ４５への表示は、イメージセンサー５１を撮影レンズ側から見た状態に合わせることが好ましい。
【００４３】
そうして、ディスプレイ４５の表示から例えばゴミ８０を確認した場合は、センサー清掃モードによってメインミラー１３をアップ及びシャッターユニット１５を先幕のみを走行させて全開させた状態を保持して、この状態でゴミ８０を除去する。その際ＬＥＤ７１は点灯させることが好ましい。ＬＥＤ７１の点灯によって、ゴミ８０は明暗がついて見える。
【００４４】
また、ミラーアップ等する前に、ゴミチェックモードで撮像した画像、又はゴミチェックモード同様に、ＬＥＤ７１を点灯させて撮影した画像をディスプレイ４５に表示しておくことが好ましい。肉眼でゴミが見づらい場合も、ディスプレイ４５の表示を見ることでゴミの位置が分かる。
【００４５】
ゴミチェックモードによる処理においてゴミの付着を確認できなかった場合は清掃をする必要が無い。つまり、シャッターユニット１５を全開させなくてもよいので、シャッターユニット１５を全開させる手間が不要であり、イメージセンサー５１を露出させることによる弊害を予防できる。例えば新たなゴミが入るおそれやローパスフィルター表面５４ａを傷つけるおそれが無くなる。
【００４６】
ＬＥＤ７１の発光色は、赤などの単色光でも、白色でもよい。また、複数のＬＥＤを設ける場合は、全て同一の発光色のものを使用してもよく、いずれか又は全て異なる発光色のものを使用してもよい。
発光素子としてＬＥＤを使用したが、レーザーダイオードでもよい。
【００４７】
この実施形態ではローパスフィルター５４を赤外カットフィルター５３よりも被写体側に配置してあるが、逆の配置もある。その場合の光学素子表面は、赤外カットフィルターの表面になる。
【符号の説明】
【００４８】
１０  カメラボディ
１２  マウント部
１３  メインミラー
１４  サブミラー
１５  シャッターユニット
２１  ＡＦセンサーユニット
３１  メインＣＰＵ
３３  ＤＳＰ
３５  測光スイッチ
３６  レリーズスイッチ
３７  モードスイッチ
４１  ミラーモーター
４２  チャージモーター
４３  モータードライバー
４５  ディスプレイ
５０  撮像ユニット
５１  イメージセンサー
５１ａ  受光面
５２  ケーシング
５３  赤外カットフィルター
５４  ローパスフィルター
５４ａ  ローパスフィルター表面
７１  ＬＥＤ（発光素子）
７３  シリンドリカルレンズ（配光光学素子）
７４  シリンドリカルレンズ（配光光学素子）
７５  トーリックレンズ（配光光学素子）
７６  トーリックレンズ（配光光学素子）
１００  撮影レンズ
１０１  レンズＣＰＵ
【図１】
2010268102.tif 000003
【図２】
2010268102.tif 000004
【図３】
2010268102.tif 000005
【図４】
2010268102.tif 000006
【図５】
2010268102.tif 000007
【図６】
2010268102.tif 000008
【図７】
2010268102.tif 000009
【図８】
2010268102.tif 000010